(57)【要約】【課題】同一額面の異なる貨幣種を含み、金種毎に釣銭として出金するか否かを装置側で明確に行うことができる金銭処理装置及び金銭処理装置の出金制御方法を提供すること。【解決手段】投入された貨幣を識別する硬貨鑑別センサ１４及び紙幣鑑別センサ２４と、識別された貨幣の金種毎に貨幣を収納する収納庫１５，２５とを備えた金銭処理装置であって、収納庫１５，２５は、貨幣の収納のみを行う収納専用収納庫２５ｄ，２５ｅ，２５ｆと貨幣の収納及び繰出しを行う収納兼繰出し収納庫１５，２５ａ，２５ｂ，２５ｃとが混在し、出金時は収納兼繰出し収納庫１５，２５ａ，２５ｂ，２５ｃから出金する。１元硬貨は収納兼繰出し収納庫に収納され、釣銭として出金され、１元紙幣は収納専用収納庫に収納され、釣銭として出金されない。【選択図】図４
2019020824.tif 000002
【特許請求の範囲】
【請求項１】
投入された貨幣を識別する識別部と、識別された貨幣の金種毎に貨幣を収納する収納庫とを備えた金銭処理装置であって、
前記収納庫は、貨幣の収納のみを行う収納専用収納庫と貨幣の収納及び繰出しを行う収納兼繰出し収納庫とが混在し、出金時は前記収納兼繰出し収納庫から出金することを特徴とする金銭処理装置。
【請求項２】
硬貨に対する前記収納兼繰出し収納庫と紙幣に対する前記収納兼繰出し収納庫とが収納する金種が同一である場合、硬貨を優先して出金させることを特徴とする請求項１に記載の金銭処理装置。
【請求項３】
硬貨に対する前記収納兼繰出し収納庫と紙幣に対する前記収納兼繰出し収納庫とが収納する金種が同一である場合、紙幣を優先して出金させることを特徴とする請求項１に記載の金銭処理装置。
【請求項４】
前記収納専用収納庫に割り当てられる金種は、流通量が少ない金種であることを特徴とする請求項１〜３のいずれか一つに記載の金銭処理装置。
【請求項５】
前記収納専用収納庫は、硬貨または紙幣毎に複数の金種を混在させた１つの収納庫であることを特徴とする請求項１〜３のいずれか一つに記載の金銭処理装置。
【請求項６】
前記収納兼繰出し収納庫に収納されている金種及び枚数をもとに、大きい額の金種を優先して出金する金種と枚数とを算出する出金算出部を備えたことを特徴とする請求項１〜３のいずれか一つに記載の金銭処理装置。
【請求項７】
前記収納専用収納庫は、貨幣の繰出しが可能であり、貨幣の収納のみを行うように割り付けられることを特徴とする請求項１〜３のいずれか一つに記載の金銭処理装置。
【請求項８】
投入された貨幣を識別する識別部と、識別された貨幣の金種毎に貨幣を収納する収納庫とを備えた金銭処理装置の出金制御方法であって、
前記収納庫を貨幣の収納のみを行う収納専用収納庫と貨幣の収納及び繰出しを行う収納兼繰出し収納庫とに割り付け、前記収納兼繰出し収納庫に収納された貨幣を用いて出金処理を行うことを特徴とする金銭処理装置の出金制御方法。
【発明の詳細な説明】
【技術分野】
【０００１】
本発明は、同一額面の異なる貨幣種を含んだ金種毎に、釣銭として出金する金種を装置側で明確に設定しておくことができる金銭処理装置及び金銭処理装置の出金制御方法に関する。
【背景技術】
【０００２】
自動釣銭機などの金銭処理装置では、入金口を介して入金部に投入された貨幣を所定の搬送路に搬送し、貨幣の真贋を鑑別する。そして、「真」として鑑別された貨幣は搬送路を介して収納庫に収納される。また、出金指示があった場合、対応する貨幣を、対応する収納庫から繰り出し、繰出された貨幣を出金部から出金するようにしている。この金銭処理装置は、スーパーマーケットなどのレジにおいて普及しており、精算の効率化に貢献している。
【０００３】
なお、特許文献１には、表示操作部の選択的な操作によって、釣銭として希望する種類の金銭を得ることができ、また、釣銭の枚数を希望する枚数に削減することができる媒体発行装置が記載されている。
【先行技術文献】
【特許文献】
【０００４】
【特許文献１】特開２００７−８０１５２号公報
【発明の概要】
【発明が解決しようとする課題】
【０００５】
ところで、金銭処理装置を日本以外の国、例えば中国で用いる場合、同一金種の紙幣と硬貨とが存在しており、どちらの貨幣種を釣銭として出金するかの扱いが曖昧である。具体的に、中国では、１元紙幣と１元硬貨とが同時に流通している。一方、国の再流通の仕組みの違いから、劣化した紙幣などの貨幣が流通する場合があり、金銭処理装置における詰りの原因になる場合がある。
【０００６】
本発明は、上記に鑑みてなされたものであって、同一額面の異なる貨幣種を含んだ金種毎に、釣銭として出金する金種を装置側で明確に設定しておくことができる金銭処理装置及び金銭処理装置の出金制御方法を提供することを目的とする。
【課題を解決するための手段】
【０００７】
上述した課題を解決し、目的を達成するために、本発明にかかる金銭処理装置は、投入された貨幣を識別する識別部と、識別された貨幣の金種毎に貨幣を収納する収納庫とを備えた金銭処理装置であって、前記収納庫は、貨幣の収納のみを行う収納専用収納庫と貨幣の収納及び繰出しを行う収納兼繰出し収納庫とが混在し、出金時は前記収納兼繰出し収納庫から出金することを特徴とする。
【０００８】
また、本発明にかかる金銭処理装置は、上記の発明において、硬貨に対する前記収納兼繰出し収納庫と紙幣に対する前記収納兼繰出し収納庫とが収納する金種が同一である場合、硬貨を優先して出金させることを特徴とする。
【０００９】
また、本発明にかかる金銭処理装置は、上記の発明において、硬貨に対する前記収納兼繰出し収納庫と紙幣に対する前記収納兼繰出し収納庫とが収納する金種が同一である場合、紙幣を優先して出金させることを特徴とする。
【００１０】
また、本発明にかかる金銭処理装置は、上記の発明において、前記収納専用収納庫に割り当てられる金種は、流通量が少ない金種であることを特徴とする。
【００１１】
また、本発明にかかる金銭処理装置は、上記の発明において、前記収納専用収納庫は、硬貨または紙幣毎に複数の金種を混在させた１つの収納庫であることを特徴とする。
【００１２】
また、本発明にかかる金銭処理装置は、上記の発明において、前記収納兼繰出し収納庫に収納されている金種及び枚数をもとに、大きい額の金種を優先して出金する金種と枚数とを算出する出金算出部を備えたことを特徴とする。
【００１３】
また、本発明にかかる金銭処理装置は、上記の発明において、前記収納専用収納庫は、貨幣の繰出しが可能であり、貨幣の収納のみを行うように割り付けられることを特徴とする。
【００１４】
また、本発明にかかる金銭処理装置の出金制御方法は、投入された貨幣を識別する識別部と、識別された貨幣の金種毎に貨幣を収納する収納庫とを備えた金銭処理装置の出金制御方法であって、前記収納庫を貨幣の収納のみを行う収納専用収納庫と貨幣の収納及び繰出しを行う収納兼繰出し収納庫とに割り付け、前記収納兼繰出し収納庫に収納された貨幣を用いて出金処理を行うことを特徴とする。
【発明の効果】
【００１５】
本発明によれば、同一額面の異なる貨幣種が収納される場合にいずれの貨幣種を釣銭として出金すべきか、あるいはいずれの金種の貨幣を釣銭として出金すべきかを、装置側で予め設定しているので、釣銭として出金される、貨幣種を含む金種が明確になる。
【図面の簡単な説明】
【００１６】
【図１】図１は、本発明の実施の形態である金銭処理装置の自動釣銭機の構成を示す斜視図である。
【図２】図２は、図１に示した硬貨収納部の内部構成を概念的に示す平面図である。
【図３】図３は、図１に示した紙幣収納部の内部構成を概念的に示す側面図である。
【図４】図４は、図１に示した金銭処理装置の自動釣銭機の制御系の構成を示すブロック図である。
【図５】図５は、中国での流通貨幣に対して紙幣収納庫と硬貨収納庫との金種毎の機能割付を説明する説明図である。
【図６】図６は、出金算出部による出金算出処理手順を示すフローチャートである。
【図７】図７は、中国での流通貨幣に対して紙幣収納庫と硬貨収納庫との金種毎の機能割付の変形例１を説明する説明図である。
【図８】図８は、本発明の実施の形態の変形例２である金銭処理装置の自動釣銭機の制御系の構成を示すブロック図である。
【発明を実施するための形態】
【００１７】
以下、添付図面を参照してこの発明を実施するための形態について説明する。
【００１８】
（金銭処理装置の構造）
図１〜図３は、本発明の実施の形態である金銭処理装置を示したものである。ここで例示する金銭処理装置は、スーパーマーケットやコンビニエンスストア等の店舗においてＰＯＳレジスタ装置ＰＲに接続される自動釣銭機として用いられるもので、直方体状を成す装置本体１の前端部に硬貨投入口１１、硬貨出金口１２、紙幣投入口２１、紙幣出金口２２を備えている。なお、この金銭処理装置は、中国で取り扱われることを前提としている。したがって、この金銭処理装置では、同一額面で異なる貨幣種である１元紙幣と１元硬貨とを収納することができる。なお、中国では、元以外に角が補助貨幣として用いられている。
【００１９】
硬貨投入口１１は、投入された硬貨を装置本体１の内部に受け入れるための開口であり、装置本体１の上面に形成してある。硬貨投入口１１に投入された硬貨は、図示せぬ投入検出センサによって検出された後、図２に示すように、硬貨収納部１０の硬貨搬送機構１３によって搬送される。搬送された硬貨は、硬貨鑑別センサ１４によって鑑別された後、金種に応じて硬貨収納庫１５に収納されることになる。本実施の形態では、装置本体１の内部に１角硬貨収納庫１５ａ、５角硬貨収納庫１５ｂ、１元硬貨収納庫１５ｃが設けてあり、投入された硬貨を金種ごとに個別に収納するようにしている。硬貨収納庫１５を構成する１角硬貨収納庫１５ａ、５角硬貨収納庫１５ｂ、１元硬貨収納庫１５ｃは、すべて硬貨の収納機能及び繰出し機能を有する収納兼繰出し収納庫である。硬貨出金口１２は、それぞれの硬貨収納庫１５から搬出された硬貨を装置本体１の外部に払い出すための開口であり、装置本体１の前面に形成してある。なお、図中の符号１７は、硬貨出金口１２から払い出された硬貨を受入れる受け皿である。
【００２０】
紙幣投入口２１は、投入された紙幣を装置本体１の内部に受け入れるための開口であり、装置本体１の前面上部に設けてある。紙幣投入口２１に投入された紙幣は、図示せぬ投入検出センサによって検出された後、図３に示すように、紙幣収納部２０の紙幣搬送機構２３によって搬送される。搬送された紙幣は、紙幣鑑別センサ２４によって鑑別された後、金種に応じて紙幣収納庫２５に収納されることになる。本実施の形態では、装置本体１の内部に５０元紙幣収納庫２５ａ、１０元紙幣収納庫２５ｂ、５元紙幣収納庫２５ｃ、１００元紙幣収納庫２５ｄ、２０元紙幣収納庫２５ｅ、１元紙幣収納庫２５ｆが設けてあり、投入された紙幣を金種毎に分別して収納するようにしている。紙幣収納庫２５のうちの５０元紙幣収納庫２５ａ、１０元紙幣収納庫２５ｂ、５元紙幣収納庫２５ｃは、紙幣の収納機能及び繰出し機能を有する収納兼繰出し収納庫である。また、紙幣収納庫２５のうちの１００元紙幣収納庫２５ｄ、２０元紙幣収納庫２５ｅ、１元紙幣収納庫２５ｆは、紙幣の収納機能のみを有する収納専用収納庫であり、紙幣の繰出しは行うことができない。紙幣出金口２２は、紙幣収納庫２５から搬出された紙幣を装置本体１の外部に払い出すための開口であり、装置本体１の前面下部に設けてある。
【００２１】
また、装置本体１の前方部には、表示部３０及び入力部４０が設けてある。表示部３０は、操作者に対して各種表示を行うためのもので、例えば液晶表示器によって構成してある。入力部４０は、操作者が各種指令を入力するためのもので、例えば複数の押ボタンスイッチによって構成してある。
【００２２】
（金銭処理装置の制御系）
図４は、上述した金銭処理装置の制御系を示すブロック図である。図４に示す制御部５０は、入力部４０を通じて指令が与えられた場合、あるいは硬貨鑑別センサ１４、紙幣鑑別センサ２４から検出信号が与えられた場合、さらには上位装置であるＰＯＳレジスタ装置ＰＲから各種指令が与えられた場合、メモリ６０に格納したプログラムや初期データに基づいて表示部３０の表示制御、硬貨搬送機構１３の駆動制御、紙幣搬送機構２３の駆動制御を行うものである。なお、制御部５０は、通信インターフェース３を介して接続されたＰＯＳレジスタ装置ＰＲとの間においてデータの送受信制御を行う。
【００２３】
入出金制御部５１は、ＰＯＳレジスタ装置ＰＲから入力許可指令が与えられた後に貨幣が投入された場合に、入金許可指令に従って貨幣の入金処理を行い、かつＰＯＳレジスタ装置ＰＲから出金指令が与えられた場合に、出金指令に従って貨幣の出金処理を行うものである。また、入出金制御部５１は、これらの入金処理及び出金処理を実行している間、実施した入金処理及び出金処理の内容を入出金情報６１として逐次メモリ６０に格納する処理も行う。
【００２４】
出金算出部５２は、出金指令が与えられた場合に、釣銭として出金すべき金種毎の枚数を算出し、金種情報として入出金制御部５１に出力する。
【００２５】
（出金金種割当）
図５に示すように、中国での流通貨幣は、紙幣として、１００元紙幣、５０元紙幣、２０元紙幣、１０元紙幣、５元紙幣、１元紙幣がある。また、硬貨として、１元硬貨、５角硬貨、１角硬貨がある。１角は、１／１０元である。
【００２６】
ここで、同一額面の異なる硬貨種として、１元紙幣と１元硬貨とが存在する。このため、上述したように、１元紙幣収納庫２５ｆは、収納のみを行う収納専用収納庫とし、１元硬貨収納庫１５ｃは、繰出しが可能な収納兼繰出し収納庫としている。この結果、１元の釣銭として出金する場合は、１元硬貨が出金され、１元紙幣は出金されない。
【００２７】
また、紙幣収納庫２５では、１００元紙幣収納庫２５ｄ、２０元紙幣収納庫２５ｅ、１元紙幣収納庫２５ｆを収納専用収納庫とし、紙幣の収納のみを行い、５０元紙幣収納庫２５ａ、１０元紙幣収納庫２５ｂ、５元紙幣収納庫２５ｃを収納兼繰出し収納庫とし、紙幣の収納及び繰出しを行うようにしている。この結果、通常お釣りとして使用されない１００元紙幣、流通量の少ない２０元紙幣、及び新規発行がされていないため劣化したものが想定される１元紙幣は出金されず、収納のみが行われる。
【００２８】
なお、硬貨収納庫１５は、全て収納兼繰出し収納庫で構成されている。これは、硬貨が小額面側の金種であり、複数枚構成で大額面側の金種への代替えが可能なためであり、１元硬貨については１元紙幣と比較し劣化しにくいからである。
【００２９】
（出金算出処理）
つぎに、図６に示したフローチャートを参照して、出金算出部５２による出金算出処理手順について説明する。図６に示すように、出金算出部５２は、まず、釣銭として出金指示された釣銭額を現釣銭額として保持する（ステップＳ１０１）。さらに、金種毎の各金種枚数カウンタの値を０にする（ステップＳ１０２）。
【００３０】
その後、現釣銭額が最大金種額以上であるか否かを判断する（ステップＳ１０３）。現釣銭額が最大金種額以上である場合（ステップＳ１０３，Ｙｅｓ）には、最大金種枚数カウンタの値をインクリメントし（ステップＳ１０４）、さらに、現釣銭額から最大金種額を減算した金額を現釣銭額として更新し（ステップＳ１０５）、ステップＳ１０３に戻る。
【００３１】
一方、現釣銭額が最大金種額以上でない場合（ステップＳ１０３，Ｎｏ）には、現釣銭額が、次に大きい金種額以上であるか否かを判断する（ステップＳ１０６）。現釣銭額が次に大きい金種額以上である場合（ステップＳ１０６，Ｙｅｓ）には、次に大きい金種枚数カウンタの値をインクリメントし（ステップＳ１０７）、さらに、現釣銭額から次に大きい金種額を減算した金額を現釣銭額として更新し（ステップＳ１０８）、ステップＳ１０６に戻る。
【００３２】
現釣銭額が、次に大きい金種額以上でない場合（ステップＳ１０６，Ｎｏ）には、現釣銭額が、その次に大きい金種額が最小金種額であるか否かを判断する（ステップＳ１０９）。現釣銭額が、その次に大きい金種額が最小金種額でない場合（ステップＳ１０９，Ｎｏ）には、その次に大きい金種額を次に大きい金種額として設定した後（ステップＳ１１０）、ステップＳ１０６に移行する。
【００３３】
一方、現釣銭額が、その次に大きい金種額が最小金種額である場合（ステップＳ１０９，Ｙｅｓ）には、さらに、現釣銭額が、最小金種額以上であるか否かを判断する（ステップＳ１１１）。現釣銭額が最小金種額以上である場合（ステップＳ１１１，Ｙｅｓ）には、最小金種枚数カウンタの値をインクリメントし（ステップＳ１１２）、さらに、現釣銭額から最小金種額を減算した金額を現釣銭額として更新し（ステップＳ１１３）、ステップＳ１１１に戻る。
【００３４】
現釣銭額が、最小金種額以上でない場合（ステップＳ１１１，Ｎｏ）には、各金種枚数カウンタの値を金種情報として入出金制御部５１に出力し（ステップＳ１１４）、本処理を終了する。
【００３５】
この出金算出処理は、例えば、６８．２元の釣銭である場合、ステップＳ１０３〜Ｓ１０５の処理によって、５０元紙幣（最大金種）が１枚となり、ステップＳ１０６〜Ｓ１０８の処理によって、１０元紙幣が１枚、５元紙幣が１枚、１元硬貨が３枚となり、ステップＳ１１１〜Ｓ１１３の処理によって、１角硬貨（最小金種）が２枚となる処理がなされる。この場合、１元の釣銭は、１元硬貨のみが繰出し可能に設定されているため、１元紙幣は釣銭として使われず、１元硬貨が釣銭として出金される。
【００３６】
（変形例１）
なお、上述した紙幣収納庫２５では、１００元紙幣収納庫２５ｄ、２０元紙幣収納庫２５ｅ、１元紙幣収納庫２５ｆが収納のみを行う収納専用収納庫として機能していたが、これに限らず、図７に示すように、１００元紙幣収納庫２５ｄ、２０元紙幣収納庫２５ｅ、１元紙幣収納庫２５ｆをまとめて、１つの収納専用収納庫としてもよい。この１つの収納専用収納庫は、１００元紙幣、２０元紙幣、１元紙幣のほかに、他の紙幣を収納するようにしてもよい。他の紙幣とは、例えば、旧紙幣などである。
【００３７】
（変形例２）
また、上述した実施の形態では、１００元紙幣収納庫２５ｄ、２０元紙幣収納庫２５ｅ、１元紙幣収納庫２５ｆが収納のみを行う収納専用収納庫として設置していたが、１００元紙幣収納庫２５ｄ、２０元紙幣収納庫２５ｅ、１元紙幣収納庫２５ｆが収納及び繰出しが可能な収納兼繰出し収納庫であってもよい。この場合、図８に示すように、割付制御部５３は、１００元紙幣収納庫２５ｄ、２０元紙幣収納庫２５ｅ、１元紙幣収納庫２５ｆが収納のみを行うように割り付けの設定を行っておき、１００元紙幣収納庫２５ｄ、２０元紙幣収納庫２５ｅ、１元紙幣収納庫２５ｆが収納のみを行う収納専用収納庫として機能するように制御する。すなわち、上述した実施の形態では、収納専用収納庫をハードウェアで実現していたが、この変形例２では、収納専用収納庫をソフトウェアで実現している。
【符号の説明】
【００３８】
１  装置本体
３  通信インターフェース
１０  硬貨収納部
１１  硬貨投入口
１２  硬貨出金口
１３  硬貨搬送機構
１４  硬貨鑑別センサ
１５  硬貨収納庫
１５ａ  １角硬貨収納庫
１５ｂ  ５角硬貨収納庫
１５ｃ  １元硬貨収納庫
１７  受け皿
２０  紙幣収納部
２１  紙幣投入口
２２  紙幣出金口
２３  紙幣搬送機構
２４  紙幣鑑別センサ
２５  紙幣収納庫
２５ａ  ５０元紙幣収納庫
２５ｂ  １０元紙幣収納庫
２５ｃ  ５元紙幣収納庫
２５ｄ  １００元紙幣収納庫
２５ｅ  ２０元紙幣収納庫
２５ｆ  １元紙幣収納庫
３０  表示部
４０  入力部
５０  制御部
５１  入出金制御部
５２  出金算出部
５３  割付制御部
６０  メモリ
６１  入出金情報
ＰＲ  ＰＯＳレジスタ装置
【図１】
2019020824.tif 000003
【図２】
2019020824.tif 000004
【図３】
2019020824.tif 000005
【図４】
2019020824.tif 000006
【図５】
2019020824.tif 000007
【図６】
2019020824.tif 000008
【図７】
2019020824.tif 000009
【図８】
2019020824.tif 000010